(57)【要約】【課題】日光の映り込みによる情報の伝達漏れを防ぐことができる車載表示装置を提供する。【解決手段】車載表示装置は、表示画面のチルト角を互いに異ならせて設置された複数のディスプレイ１、２、３と、各ディスプレイの近傍に設置され照度を計測する複数の照度計４、５、６と、各照度計の計測結果に基づいて各ディスプレイへの映り込みの発生の有無を判定する映り込み判定部７と、ディスプレイで表示される各機能の表示優先度を保持する表示優先度保持部８と、映り込み判定部７が映り込みが発生していると判定した場合に表示優先度保持部８が保持する表示優先度に基づいて映り込みの発生しているディスプレイで表示している機能を映り込みの発生していないディスプレイへ表示切替制御を行う表示切替部９を備える。【選択図】図２
2013254087.tif 000002
【特許請求の範囲】
【請求項１】
表示画面のチルト角を互いに異ならせて設置された複数のディスプレイと、各前記ディスプレイの近傍に設置され照度を計測する複数の照度計と、各前記照度計の計測結果に基づいて各前記ディスプレイへの映り込みの発生の有無を判定する映り込み判定部と、ディスプレイで表示される各機能の表示優先度を保持する表示優先度保持部と、前記映り込み判定部が映り込みが発生していると判定した場合に前記表示優先度保持部が保持する表示優先度に基づいて映り込みの発生しているディスプレイで表示している機能を映り込みの発生していないディスプレイへ表示切替制御を行う表示切替部を備える車載表示装置。
【請求項２】
前記表示優先度保持部はさらに他の機能の表示の割り込みを許可するかを示す画面割り込みフラグを保持し、前記表示切替部は前記表示切替制御を行う際に前記表示優先度保持部で保持している割り込みフラグを参照して表示割り込み可能な機能の画面にのみ表示を切り替えることを特徴とする請求項１記載の車載表示装置。
【請求項３】
前記表示切替部は前記表示切替制御を行う際に前記表示優先度が高い機能の画面を広く、表示優先度が低い機能の画面を小さく割り込み表示させることを特徴とする請求項１または２に記載の車載表示装置。
【発明の詳細な説明】
【技術分野】
【０００１】
本発明は、車に搭載され、運転者に種々の情報を提供する車載表示装置に関するものである。
【背景技術】
【０００２】
車載表示装置に日光が映りこんだ場合、画面が見えにくくなる。その度にユーザは画質（コントラストやブライトネス）や、チルト角（逆チルト含む）を調整して対処していた。
【０００３】
従来、日射センサを備え、日射状況に応じて画面の傾斜位置を自動的に調整可能にするカーナビゲーション装置画面の傾斜度制御装置が提案されている（例えば、特許文献１参照）。
【０００４】
また、車の現在位置、日時、進行方向、窓の位置情報、表示装置の位置情報に基づいて表示装置に日光が入射するかを判定し、反射光の方向が搭乗者の視点位置からずれるように、画面角度を変更する技術も開発されている（例えば、特許文献２参照）。
【先行技術文献】
【特許文献】
【０００５】
【特許文献１】特開２０００−０３９８４７号公報
【特許文献２】特開２００６−１３１１５３号公報
【発明の概要】
【発明が解決しようとする課題】
【０００６】
しかしながら、車載表示装置に日光が映りこんだ場合、直射日光の光量が大きいため、画質やチルト角を調整しても見えにくさを低減させるには限度があった。また、チルト角を調整した場合、視野角に対して画面の大きさが相対的に減少し、見える面積が少なくなるという課題もある。
【０００７】
さらに、機械的にチルト角を調節するため、指定の位置まで画面角度を調整するまで時間がかかり、その間に情報の伝達漏れを起こす可能性があった。
【０００８】
本発明は従来の課題を解決するためになされたもので、日光の映り込みによる情報の伝達漏れを防ぐことができる車載表示装置を提供することを目的とする。
【課題を解決するための手段】
【０００９】
上記目的を達成するために本発明の車載表示装置は、表示画面のチルト角を互いに異ならせて設置された複数のディスプレイと、各ディスプレイの近傍に設置され照度を計測する複数の照度計と、各照度計の計測結果に基づいて各ディスプレイへの映り込みの発生の有無を判定する映り込み判定部と、ディスプレイで表示される各機能の表示優先度を保持する表示優先度保持部と、映り込み判定部が映り込みが発生していると判定した場合に表示優先度保持部が保持する表示優先度に基づいて映り込みの発生しているディスプレイで表示している機能を映り込みの発生していないディスプレイへ表示切替制御を行う表示切替部を備える。
【００１０】
また、表示優先度保持部はさらに他の機能の表示の割り込みを許可するかを示す画面割り込みフラグを保持し、表示切替部は表示切替制御を行う際に表示優先度保持部で保持している割り込みフラグを参照して表示割り込み可能な機能の画面にのみ表示を切り替える。
【００１１】
また、表示切替部は表示切替制御を行う際に表示優先度が高い機能の画面を広く、表示優先度が低い機能の画面を小さく割り込み表示させる。
【発明の効果】
【００１２】
本発明の車載表示装置によれば、日光の映り込みにより画面が見えにくいときでも、ユーザが必要とする情報を車に搭載している別のディスプレイにて確認することができ、情報の伝達漏れなどを防ぐことができる。
【図面の簡単な説明】
【００１３】
【図１】本発明の実施の形態にかかる車載表示装置を搭載した車両の一例を示す図
【図２】車載表示装置の構成を示すブロック図
【図３】表示優先度保持部８が保持する表示優先度の一例を示す図
【図４】映り込み判定部７の処理の流れを示すフローチャート
【図５】表示切替部９の処理の流れを示すフローチャート
【図６】画面割り込みの表示方法の一例を示す図
【発明を実施するための形態】
【００１４】
以下、本発明の実施の形態にかかる車載表示装置について図面を用いて説明する。なお、以下で説明する本発明の実施の形態は、本発明の好ましい一具体例を示すものである。本実施の形態で示される数値、形状、構成要素、構成要素の配置及び接続形態などは、一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。
【００１５】
図１は本実施の形態にかかる車載表示装置を搭載した車両の一例を示す図である。フロントパネルには、ディスプレイ１、２、３が設置されており、各ディスプレイ１、２、３には照度計４、５、６が設置されている。ディスプレイ１は運転席の正面に設置され、ディスプレイ２は中央に設置され、ディスプレイ３は助手席側に設置されている。ディスプレイ１、２、３は車内に日光が入射しても、全てのディスプレイで映り込みが発生して表示される情報を視認できなくならないように、それぞれ表示画面のチルト角を異ならせて設置されている。ディスプレイの数、設置場所はこれに限定されない。
【００１６】
ディスプレイ１、２、３は液晶ディスプレイ等で構成されており、各種車両情報やナビゲーション地図情報やＤＶＤ（Ｄｉｇｉｔａｌ  Ｖｅｒｓａｔｉｌｅ  Ｄｉｓｋ）等のエンターテインメント画面を表示するものである。
照度計４、５、６はディスプレイ１、２、３に備え付けられており、フォトレジスタやフォトダイオード等を使い、光電効果を利用して光を検出し、それぞれのディスプレイ１、２、３に入り込む光の照度を測定するものである。
【００１７】
図２は車載表示装置の構成を示すブロック図で、車載表示装置１０は、ディスプレイ１、２、３と、照度計４、５、６と、映り込み判定部７と、表示優先度保持部８と、表示切替部９によって構成される。
【００１８】
照度計４、５、６により計測された照度は、映り込み判定部７に通知される。
映り込み判定部７では照度計４、５、６から通知された照度値を参照し、各ディスプレイ１、２、３に日光の映り込みが発生しているかの判断を行う。映り込みが発生しているか否かの詳細な判定方法については後述する。
【００１９】
映り込み判定部７は、ディスプレイ１、２、３の何れかに日光の映り込みが発生していると判断すると、表示切替部９に対して映り込みが発生していることを通知する。
表示優先度保持部８は動作中機能の表示優先度と画面への割り込み表示を許可するか否かのフラグを保持している。表示優先度保持部８が保持しているデータの詳細については後述する。
【００２０】
表示切替部９では表示優先度保持部８で保持している各機能の表示優先度を参照し、映り込みが発生している画面で動作中の機能を他のディスプレイにて表示可能かどうかの判断を行い、ディスプレイ１、２、３の何れかに画面表示を切り替える。画面表示切替方法の詳細については後述する。
【００２１】
次に、表示優先度保持部８が保持する表示優先度の一例について、図３を用いて説明する。図３において、各機能名に対して、表示優先度および画面割り込みフラグが記載されている。表示優先度は映り込み発生時に他のディスプレイの画面への割り込み表示を行う際、主画面、子画面に表示させる機能を決定するために使用する。主画面、子画面表示の詳細については後述する。
【００２２】
表示優先度は運転動作に直結する機能（メーター表示やバックモニタ表示など）の優先度を高く設定し、画面を目視する必要性が低い機能（ＣＤ、ＤＶＤ）の優先度は低く設定されている。本実施の形態では、図３の表示優先度は数字が小さい方が優先度が高いこととする。優先度の持ち方については他の手法を用いてもよい。
【００２３】
画面割り込みフラグは、他の画面で動作中の機能の割り込みを許可するかどうかを判断するためのフラグである。画面割り込みフラグで、メーター表示やバックモニタ画面など、運転動作に直結する情報を表示する画面については画面割り込みを許可しないようにする。本実施の形態では、図３の画面割り込みフラグの値が「０」の場合、他の機能の割り込みを許可せず、画面割り込みフラグの値が「１」の場合、他の機能の割り込みを許可することとする。画面割り込みフラグの持ち方については他の手法を用いてもよい。
【００２４】
次に、映り込み判定部７の処理の流れについて図４のフローチャートを用いて説明する。
映り込み判定部７は照度計４、５、６から通知された照度値を参照し、照度値が基準値を超えているかどうかを判定する（ステップＳ４０１）。基準値はあらかじめ指定された固定値（例えば２００００ルクス）を用いるか、ユーザが設定した値を用いることができる。
【００２５】
ステップＳ４０１の判定結果がＹｅｓの場合、映り込み判定部７は映り込みが発生していると判断し、表示切替部９へ映り込みが発生していることを通知する（ステップＳ４０２）。ステップＳ４０１の判定結果がＮｏの場合、映り込み判定部７は映り込みが発生していないと判断し、表示切替部９への通知は行わない。（ステップＳ４０３）。
【００２６】
次に、表示切替部９の処理の流れについて図５のフローチャートを用いて説明する。
表示切替部９では、映り込み判定部７からの通知を受け、保持しているディスプレイの映り込み状況を確認し、映り込みが発生していない表示切替可能なディスプレイがあるかの判定を行う（ステップＳ５０１）。
【００２７】
ステップＳ５０１の判定結果がＮｏの場合、表示切替可能なディスプレイがないため、表示切替は行わない（ステップＳ５０２）。ステップＳ５０１の判定結果がＹｅｓの場合、次に映り込みが発生していない画面で動作中機能の画面割り込みフラグを検索する（ステップＳ５０３）。
【００２８】
次に、表示切替部９はステップＳ５０３で検索した画面割り込みフラグを確認し、映り込みが発生していないディスプレイの画面への割り込みが可能かを判定する（ステップＳ５０４）。ステップＳ５０４の判定結果がＮｏの場合、表示切替可能なディスプレイがないため、表示切替は行わない（ステップＳ５０２）。例えば、動作中機能が図３に示す「バックモニター」であった場合、画面割り込みフラグが「０」であるためステップＳ５０４においてＮｏと判定される。
【００２９】
ステップＳ５０４の判定結果がＹｅｓの場合、映り込み発生画面で動作中機能の表示優先度（Ｖ５０５）を検索する（ステップＳ５０５）。次に、ステップＳ５０６において、映り込みが発生していない画面で動作中機能の表示優先度（Ｖ５０６）を検索する。
【００３０】
次に、表示切替部９はＶ５０５とＶ５０６の表示優先度を比較して、Ｖ５０５の方がＶ５０６より表示優先度が高いか判定する（ステップＳ５０７）。ステップＳ５０７の判定結果がＹｅｓの場合、主画面をステップＳ５０５で動作中の機能の画面へ、子画面をステップＳ５０６で動作中の機能の画面へ切り替える（ステップＳ５０８）。
【００３１】
一方、ステップＳ５０７の判定結果がＮｏの場合、主画面をステップＳ５０６で動作中の機能の画面へ、子画面をステップＳ５０５で動作中の機能の画面へ切り替える（ステップＳ５０９）。
【００３２】
次に、ステップＳ５０８、Ｓ５０９の画面割り込みの表示方法の一例について図６を用いて説明する。映り込みが発生していない画面への表示切替を行う際、表示優先度の高い機能を主画面に表示し、表示優先度の低い画面を子画面に表示させる。
【００３３】
図６では、ナビ画面、ＤＶＤ画面を例としている。図３において、ナビ、ＤＶＤの表示優先度はそれぞれ“３”、“８”になっており、表示優先度が高いナビ画面を広く主画面として表示し、表示優先度が低いＤＶＤ画面を小さい子画面として表示している。
【産業上の利用可能性】
【００３４】
以上のように、本発明の車載表示装置は、日光の映り込みにより画面が見えにくいときでも、ユーザが必要とする情報を車に搭載している別のディスプレイにて確認することができ、情報の伝達漏れなどを防ぐことができるという効果を有し、車に搭載される表示装置等として有用である。
【符号の説明】
【００３５】
１、２、３    ディスプレイ
４、５、６    照度計
７    映り込み判定部
８    表示優先度保持部
９    表示切替部
１０    車載表示装置
【図１】
2013254087.tif 000003
【図２】
2013254087.tif 000004
【図３】
2013254087.tif 000005
【図４】
2013254087.tif 000006
【図５】
2013254087.tif 000007
【図６】
2013254087.tif 000008